(57)【要約】【課題】２色覚あるいは異常３色覚の人にとって色の判別をしにくいとして指定された範囲内の赤色と、その他の色とによってもともと区分けされていた内容を、２色覚あるいは異常３色覚の人が見分けやすくする。【解決手段】プリンタドライバ３２２には、情報処理装置３の利用者が赤色として指定し得る範囲が、赤色の範囲の初期設定として記述されている。更に、プリンタドライバ３２２は、利用者の操作によって、上記の初期設定以外にも初期設定の赤色の範囲に比較的近い範囲の色を、利用者が指定し得る範囲として記述することを可能とする。そして、情報処理装置３の制御部３１は、文書画像データに含まれる色情報と、プリンタドライバ３２２に記述されている赤色の範囲とを照合することで、強調対応処理の対象となる箇所を特定して、赤色およびその他の色とを判別しやすくした画像を記録用紙に形成させる。【選択図】図４
2010219811.tif 000002
【特許請求の範囲】
【請求項１】
色空間における赤色の範囲を利用者が指定する指定手段と、
前記指定手段において指定された赤色の範囲を記憶する赤色記憶手段と、
画像を表す画像データを取得する取得手段と、
前記取得手段によって取得された画像データに対し、前記赤色記憶手段により記憶されている範囲に含まれる赤色の画像と、当該赤色以外の色の画像とを、色の明度差によって区別する処理を施す処理手段と
を備えることを特徴とする画像処理装置。
【請求項２】
前記赤色記憶手段は、
色相Ｈ、明度Ｌ、彩度Ｓをそれぞれ８ビットで表現したときのＨ，Ｌ，Ｓからなる色空間において、Ｈが２５０以上２５５以下、及び０以上８以下、Ｌが２２０以上２５５以下、Ｓが１１８以上１５３以下によって表される範囲内の色を、赤色の範囲として記憶しており、
前記指定手段において、Ｈが２５０以上２５５以下、及び０以上８以下、Ｌが２２０以上２５５以下、Ｓが１１８以上１５３以下によって表される範囲内の色以外の色が指定された場合には、前記記憶しているＨが２５０以上２５５以下、及び０以上８以下、Ｌが２２０以上２５５以下、Ｓが１１８以上１５３以下によって表される範囲内の色に加えて、指定された前記色を、赤色の範囲として記憶する
ことを特徴とする請求項１記載の画像処理装置。
【請求項３】
前記指定手段は、色相Ｈ、明度Ｌ、彩度Ｓをそれぞれ８ビットで表現したときの、Ｈ，Ｌ，Ｓからなる色空間において、Ｈが２５０以上２５５以下、及び０以上８以下、Ｌが２２０以上２５５以下、Ｓが１１８以上１５３以下によって表される範囲内において、利用者に赤色の範囲を指定させる
ことを特徴とする請求項１記載の画像処理装置。
【請求項４】
請求項１〜３のいずれかに記載の画像処理装置と、
前記画像処理装置によって処理が施された画像データに応じた画像を記録媒体に形成する画像形成手段と
を備えることを特徴とする画像形成装置。
【請求項５】
コンピュータを、
色空間における赤色の範囲を利用者が指定する指定手段と
前記指定手段において指定された赤色の範囲を記憶する赤色記憶手段と、
画像を表す画像データを取得する取得手段と、
前記取得手段によって取得された画像データに対し、前記赤色記憶手段により記憶されている範囲に含まれる赤色の画像と、当該赤色以外の色の画像とを、色の明度差によって区別する処理を施す処理手段と
して実現させるためのプログラム。
【発明の詳細な説明】
【技術分野】
【０００１】
本発明は、画像処理装置、画像形成装置及びプログラムに関する。
【背景技術】
【０００２】
人間の遺伝子のタイプの違いや目の疾患によって色の見え方が異なる場合がある。眼科用語では、赤、青、緑の錐体細胞の異常の有無によって、３色覚（正常３色型色覚）、２色覚（２色型色覚）、異常３色覚（異常３色型色覚）と呼んでいる。特許文献１には、複写機やプリンタなどの画像形成装置において、２色覚あるいは異常３色覚の人（３色覚者でない）であっても色の区別がつくような画像を記録用紙に形成する技術が開示されている。
【先行技術文献】
【特許文献】
【０００３】
【特許文献１】特開２００４−０８０１１８号公報
【発明の概要】
【発明が解決しようとする課題】
【０００４】
本発明は、２色覚あるいは異常３色覚の人にとって色の判別をしにくいとして指定された範囲内の赤色と、その他の色とによってもともと区分けされていた内容を、２色覚あるいは異常３色覚の人が見分けやすくすることを目的とする。
【課題を解決するための手段】
【０００５】
請求項１に係る発明は、色空間における赤色の範囲を利用者が指定する指定手段と、前記指定手段において指定された赤色の範囲を記憶する赤色記憶手段と、画像を表す画像データを取得する取得手段と、前記取得手段によって取得された画像データに対し、前記赤色記憶手段により記憶されている範囲に含まれる赤色の画像と、当該赤色以外の色の画像とを、色の明度差によって区別する処理を施す処理手段とを備えることを特徴とする画像処理装置である。
請求項２に係る発明は、請求項１に記載の構成において、前記赤色記憶手段が、色相Ｈ、明度Ｌ、彩度Ｓをそれぞれ８ビットで表現したときのＨ，Ｌ，Ｓからなる色空間において、Ｈが２５０以上２５５以下、及び０以上８以下、Ｌが２２０以上２５５以下、Ｓが１１８以上１５３以下によって表される範囲内の色を、赤色の範囲として記憶しており、前記指定手段において、Ｈが２５０以上２５５以下、及び０以上８以下、Ｌが２２０以上２５５以下、Ｓが１１８以上１５３以下によって表される範囲内の色以外の色が指定された場合には、前記記憶しているＨが２５０以上２５５以下、及び０以上８以下、Ｌが２２０以上２５５以下、Ｓが１１８以上１５３以下によって表される範囲内の色に加えて、指定された前記色を、赤色の範囲として記憶することを特徴とする画像処理装置である。
請求項３に係る発明は、請求項１に記載の構成において、前記指定手段が、色相Ｈ、明度Ｌ、彩度Ｓをそれぞれ８ビットで表現したときの、Ｈ，Ｌ，Ｓからなる色空間において、Ｈが２５０以上２５５以下、及び０以上８以下、Ｌが２２０以上２５５以下、Ｓが１１８以上１５３以下によって表される範囲内において、利用者に赤色の範囲を指定させることを特徴とする画像処理装置である。
請求項４に係る発明は、請求項１〜３のいずれかに記載の画像処理装置と、前記画像処理装置によって処理が施された画像データに応じた画像を記録媒体に形成する画像形成手段とを備えることを特徴とする画像形成装置である。
請求項５に係る発明は、コンピュータを、色空間における赤色の範囲を利用者が指定する指定手段と前記指定手段において指定された赤色の範囲を記憶する赤色記憶手段と、画像を表す画像データを取得する取得手段と、前記取得手段によって取得された画像データに対し、前記赤色記憶手段により記憶されている範囲に含まれる赤色の画像と、当該赤色以外の色の画像とを、色の明度差によって区別する処理を施す処理手段として実現させるためのプログラムである。
【発明の効果】
【０００６】
請求項１記載の発明によれば、２色覚あるいは異常３色覚の人にとって色の判別をしにくい範囲を指定し、指定された範囲内の赤色とその他の色とによってもともと区分けされていた内容を、２色覚あるいは異常３色覚の人が見分けやすくなる。
請求項２記載の発明によれば、赤色の画像と当該赤色以外の色の画像とを色の明度差によって区別する処理において、その処理の対象となる範囲を、アプリケーションプログラムで汎用されているＨが２５０以上２５５以下、及び０以上８以下、Ｌが２２０以上２５５以下、Ｓが１１８以上１５３以下によって表される範囲内の色に加えて、利用者により指定された色とすることができる。
請求項３記載の発明によれば、赤色の画像と当該赤色以外の色の画像とを色の明度差によって区別する処理において、その処理の対象となる範囲を、アプリケーションプログラムで汎用されているＨが２５０以上２５５以下、及び０以上８以下、Ｌが２２０以上２５５以下、Ｓが１１８以上１５３以下の範囲内で指定することができる。
請求項４記載の発明によれば、２色覚あるいは異常３色覚の人にとって色の判別をしにくい範囲を指定し、指定された範囲内の赤色とその他の色とによってもともと区分けされていた内容を、２色覚あるいは異常３色覚の人が見分けやすい画像を記録媒体に形成することができる。
請求項５記載の発明によれば、２色覚あるいは異常３色覚の人にとって色の判別をしにくい範囲を指定し、指定された範囲内の赤色とその他の色とによってもともと区分けされていた内容を、２色覚あるいは異常３色覚の人が見分けやすくなる。
【図面の簡単な説明】
【０００７】
【図１】本発明の実施形態に係るシステムの全体構成を示す図である。
【図２】同実施形態に係る画像形成装置１の構成を示したブロック図である。
【図３】同実施形態に係る情報処理装置３の構成を示したブロック図である。
【図４】同実施形態に係る情報処理装置３がプリンタドライバを実行するときの動作を説明するフローチャートである。
【図５】同実施形態において、強調対応処理の実施有無を確認するポップアップ画面５を示す図である。
【図６】同実施形態において、強調対応処理の詳細を設定するポップアップ画面６を示す図である。
【図７】同実施形態に係る強調対応処理後の文書画像を示す図である。
【図８】同実施形態において、赤色の範囲を設定するポップアップ画面８を示す図である。
【発明を実施するための形態】
【０００８】
３色覚の人の目の網膜には、光の波長によって感じ方（分光感度）が異なるＬ錐体、Ｍ錐体、Ｓ錐体の３種類の錐体がある。一方、２色覚あるいは異常３色覚の人は、錐体の種類や分光感度が３色覚の人と異なり、赤色、黄色、青色というようなそれぞれの色相を区別する情報に乏しいため、彩度差と明度差を頼りに色の判別を行うことがある。２色覚あるいは異常３色覚の特性は多様であるが、例えば赤色の色相を認識できないために、赤色と黒色などの無彩色との判別が難しい場合がある。赤色は、文書などの情報を提示する書類において、重要な内容、強調したい内容、閲覧者に注意を喚起したい内容などを修飾するのに用いられる。そのために利用者が、この赤色をその他の色と判別できないと、文書などを閲覧するうえで支障が生じる場合が多い。以下では、赤色によって修飾された文書を例に挙げて、本発明の実施形態について説明する。なお、本実施形態において「〜」がＡとＢの範囲を表す為に「Ａ〜Ｂ」として用いられた場合には、Ａ以上Ｂ以下の範囲を表すものと定義する。
【０００９】
（１）構成
図１は、本実施形態に係るシステムの全体構成を示す図である。
画像形成装置１と情報処理装置３とは、ＷＡＮ（Wide Area Network）やＬＡＮ（Local Area Network）などの情報を伝達するための通信網であるネットワーク２で接続されている。画像形成装置１は、例えば複写、プリント及びスキャンなどの機能が一つにまとめられた複合機であり、記録用紙に画像を形成したり、記録用紙から画像を読み取ったりする。情報処理装置３は、例えばパーソナルコンピュータであり、各種の画像処理を行ったり、画像データをネットワーク２経由で画像形成装置１に供給し、その画像データに応じた画像を形成するよう画像形成装置１に指示したりする。なお、図１において１台の画像形成装置１と３台の情報処理装置３を図示しているが、ネットワーク２に接続される画像形成装置１や情報処理装置３の数はこれに限らない。
【００１０】
図２は、画像形成装置１の構成を示したブロック図である。
画像形成装置１は、制御部１１、記憶部１２、操作部１３、表示部１４、通信部１５、画像読取部１６、及び画像形成部１７を備えている。制御部１１は、ＣＰＵ（Central Processing Unit）と、ＲＯＭ（Read Only Memory）と、ＲＡＭ（Random Access Memory）とを備えており、ＣＰＵがＲＯＭや記憶部１２に記憶されているプログラムを実行することによって画像形成装置１の各部を制御する。記憶部１２は、ＨＤ（Hard Disk）などの不揮発性の補助記憶装置であり、各種のプログラムやデータが記憶されている。操作部１３は、複数のキーを備えており、利用者の操作を受け付けてその操作に応じた信号を制御部１１に供給する。表示部１４は、ＶＲＡＭ（Video RAM）、液晶ディスプレイ及び液晶駆動回路を備えており、制御部１１から供給される情報に基づいて処理の進行状況や利用者に操作を案内する情報などを表示する。通信部１５は、通信回路や通信インタフェースを備えており、ネットワーク２を介して情報処理装置３と通信を行う。画像読取部１６は、ＣＣＤ（Charge Coupled Device）により構成される光学系部材を備えており、記録用紙に形成されている画像を光学系部材によって読み取り、読み取った画像を表す画像データを生成する。画像形成部１７は、像保持体である感光体ドラム、静電潜像を形成する露光部、静電潜像を現像してトナー像を形成する現像部、そのトナー像を記録用紙へ転写する転写部、及び記録用紙に転写されたトナー像をその記録用紙に定着させる定着部を備えている。この画像形成部１７は、画像読取部１６によって生成された画像データや、通信部１５を介して受信した画像データに応じて、画像を記録用紙に形成する画像形成手段の一例である。
【００１１】
図３は、情報処理装置３の構成を示したブロック図である。
情報処理装置３は、制御部３１、記憶部３２、操作部３３、表示部３４及び通信部３５を備えている。制御部３１は、ＣＰＵ（Central Processing Unit）と、ＲＯＭ（Read Only Memory）と、ＲＡＭ（Random Access Memory）とを備えており、ＣＰＵがＲＯＭや記憶部３２に記憶されているプログラムを実行することによって情報処理装置３の各部を制御する。操作部３３は、キーボードやマウスなどの操作デバイスを備えており、利用者の操作を受け付けて、その操作に応じた信号を制御部３１に供給する。表示部３４は、ＣＲＴディスプレイや液晶ディスプレイなどの表示デバイスを備えている。この表示部３４は、制御部３１から供給される画像データに基づいて各種の情報を表示する。通信部３５は、通信回路や通信インタフェースを備えており、ネットワーク２を介して画像形成装置１と通信を行う。
【００１２】
記憶部３２は、ＨＤ（Hard Disk）などの不揮発性の補助記憶装置であり、各種のプログラムやデータが記憶されている。記憶部３２に記憶されているプログラムには、文字や図形あるいは表などを複数色で表現した文書を表す文書画像データを作成したり、保存したり、編集したりする手順が記述された文書作成アプリケーションプログラム３２１と、その文書画像データを画像形成装置１が解釈可能なページ記述言語で表現された画像データに変換するための処理手順が記述されたプリンタドライバ３２２とがある。このプリンタドライバ３２２には、ＲＧＢ色空間において、情報処理装置３の利用者が赤色として指定し得る範囲が記述されている。ＲＧＢ色空間とは、赤（Red）、緑（Green）、青（Blue）の３つの原色を混ぜて幅広い色を再現する加法混色の一種である。また、以下の説明で用いられるＲＧＢ色空間における色の表現は、３つの原色を８ビット(２５６階調)で表現したものとする。プリンタドライバ３２２には、（Ｒ，Ｇ，Ｂ）＝（２２０〜２５５，０〜５５，０〜５５）で表現される範囲が、赤色の範囲の初期設定としてプリンタドライバ３２２に記述されている。更に、この（Ｒ，Ｇ，Ｂ）＝（２２０〜２５５，０〜５５，０〜５５）で表現される色に比較的近い範囲、例えばピンクがかった赤色や黄色がかった赤色などの範囲が、上記の初期設定以外に利用者が指定し得る範囲として記述されている。つまり、プリンタドライバ３２２が記憶されている記憶部３２は、赤色の範囲を記憶する赤色記憶手段の一例である。なお、以下の説明において、特に記載の無い限り、赤色は、プリンタドライバ３２２に記述された範囲内で利用者により指定された色のことである。
【００１３】
また、このプリンタドライバ３２２には、利用者が文書作成アプリケーションプログラム３２１を実行することによって作成した文書画像データにおいて強調などの目的により赤色で修飾された箇所を、２色覚あるいは異常３色覚の人に対してその箇所が強調などされていることを認識させるための処理（以下、強調対応処理という）の手順が記述されている。この強調対応処理は、文書画像データにおいて赤色で描かれた文字とその他の色で描かれた文字に色の明度差を意図的に設けて、２色覚あるいは異常３色覚の人が両者を区別しやすくすることで、強調などの目的で使われる赤色と、その他の色（典型的には、文書において一般に多く使われる色である黒色）との判別を容易にする。以下では、この修飾のことを、文字飾りという。強調対応処理の文字飾りには、「ａ：網掛け文字飾り」と「ｂ：下線文字飾り」の2つの種類があり、これらは情報処理装置３に設定された処理モードによって使い分けられる。ここで、網掛け文字飾りとは、赤色で描かれた文字から成る文字列の外接矩形の矩形領域に、網点状の画像（以下、網点画像という）を予め設定された間隔を空けて複数配置する処理である。この網掛け文字飾りにおける模様の濃度には、「強」、「中」、「弱」という３種類のレベルがある。ベタ画像が形成された場合の濃度を１００％とすると、「強」のレベルの模様の濃度は１５％であり、「中」のレベルの濃度は１０％であり、「弱」のレベルの濃度は５％である。ここでいう濃度とは、矩形領域の面積に対して網点画像の面積が占める割合のことであり、そのレベルは、プリンタドライバ３２２の設計者或いは利用者によって任意に決められる。一方、下線文字飾りとは、赤色で描かれた文字に外接する矩形領域の下辺の更にその下方に線分画像を形成する処理である。
【００１４】
（２）動作
（２−１）強調対応処理に関する動作
利用者は、情報処理装置３に文書作成アプリケーションプログラム３２１を実行させ、表示部３４を参照しながら操作部３３を操作して文書を作成する。このとき、利用者は、操作部３３を操作して文書中で強調などをしたい箇所の文字を赤色とするよう、情報処理装置３に指示することができる。制御部３１は、文書作成アプリケーションプログラム３２１に記述された手順に従い、利用者の操作に応じて文書を表す文書画像データをＲＡＭ等のメモリ上に作成する。このように制御部３１は文書画像データを作成乃至記憶することで、その文書画像データを取得する取得手段の一例である。そして、利用者が、操作部３３を操作して、作成した文書をプリントアウトするよう指示すると、制御部３１は、プリンタドライバ３２２を実行して、図４に示す処理を開始する。
【００１５】
図４において、制御部３１は、文書画像データを解析して、強調対応処理の対象となる赤色が含まれているか否かを判断する（ステップＳ４１）。文書画像データには、文字や図形あるいは表を画像として表現するために、様々な色を表す色情報が含まれている。制御部３１は、これらの色情報と、プリンタドライバ３２２に記述されている赤色の範囲とを照合することで、文書画像データにおいて強調対応処理の対象となる箇所を特定すればよい。制御部３１は、赤色が含まれていると判断した場合には（ステップＳ４１；ＹＥＳ）、強調対応処理を実施するか否かを利用者に確認させるポップアップ画面５を表示部３４に表示する（ステップＳ４２）。
【００１６】
図５は、ポップアップ画面５を示す図である。
ポップアップ画面５には、強調対応処理を実施するか否かを択一的に選択する選択肢であるラジオボタンＲ５１、Ｒ５２が設けられており、利用者はラジオボタンＲ５１又はラジオボタンＲ５２のいずれか一方を選択することが可能である。ここで、利用者の操作部３３の操作によって、図５に示すように「はい」と表記されているラジオボタンＲ５１が選択され、更にこの画面の右端角部において「ＯＫ」と表記されているソフトボタンＢ５３が選択されると（ステップＳ４３；ＹＥＳ）、制御部３１は、強調対応処理の詳細を利用者に設定させるポップアップ画面６を表示させる（ステップＳ４４）。
【００１７】
図６は、ポップアップ画面６を示す図である。
ポップアップ画面６において破線で囲んだ矩形領域Ｋ６１には、「ＡＢＣ」と「あいう」という文字が黒色で、「１２３」という文字が赤色で描かれたサンプル画像Ｓ６１が表示されている。このサンプル画像Ｓ６１は、利用者が作成した文書画像データが表す画像であってもよいし、プリンタドライバ３２２に予めサンプルとして記述された画像データが表す画像であってもよいが、ここでは、後者の例を図示している。破線で囲まれた矩形領域Ｋ６２は、「ａ：網掛け文字飾り」、「ｂ：下線文字飾り」という強調対応処理の処理モードごとに領域が分けられている。「ａ：網掛け文字飾り」の処理モードに該当する領域には、「強」「中」「弱」という網掛け文字飾りの濃度のレベルに対応するラジオボタン群Ｒ６２ａと、利用者が指定した内容に従ってサンプル画像Ｓ６１に強調対応処理（網掛け文字飾り）を施した後の処理後サンプル画像Ｓ６２ａとが表示されている。一方、「ｂ：下線文字飾り」の処理モードに該当する領域には、下線文字飾りに対応するラジオボタンＲ６２ｂと、利用者が指定した内容に従ってサンプル画像Ｓ６１に強調対応処理（下線文字飾り）を施した後の処理後サンプル画像Ｓ６２ｂとが表示されている。例えば、ラジオボタン群Ｒ６２ａのうち、網掛け模様の濃度のレベル「中」に対応するラジオボタンが利用者の操作部３３の操作によって選択された場合、処理後サンプル画像Ｓ６２ａには、サンプル画像Ｓ６１の赤色で描かれた文字に濃度のレベル「中」の網掛け文字飾りが施されていることになる。よって、処理後サンプル画像Ｓ６２ａにおいて、赤色で描かれた文字である「１２３」は、網掛け文字飾りが施されていることが分かるように表示されており、実際には、処理後サンプル画像Ｓ６２ａの「１２３」という文字に濃度が１０％の網掛け文字飾りが施されている。
【００１８】
利用者は、破線で囲んだ矩形領域Ｋ６２内のラジオボタンの中から何れか一つを選択することにより、文書に対して幾つかの種類の強調対応処理を行った結果を、その文書をプリントアウトする前に表示部３４にて視認することが可能である。赤色の色相を判別しにくい２色覚あるいは異常３色覚の人であっても、少なくとも文字飾りについてはその背景との明度差によって認識できるので、赤色で描かれた文字に文字飾りが施されることで、赤色とその他の色とで描かれた文字を判別しやすくなる。そして、２色覚あるいは異常３色覚の人は、赤色とその他の色とを判別しやすくなった場合には、強調などの目的で使われる赤色で描かれた文字と、それ以外の色で描かれた文字とを区別できるということになる。
【００１９】
従って、利用者が２色覚あるいは異常３色覚の人である場合には、ラジオボタンを選択する操作により、その利用者自身が処理後サンプル画像Ｓ６２ａ〜Ｓ６２ｂを視認して、色分けされた内容を見分けやすい処理モード及び濃度レベルを特定することができる。一方、利用者が３色覚（正常３色型色覚）の人である場合には、その３色覚の人にとっては他人である２色覚あるいは異常３色覚の人のために、いずれかの強調対応処理を指定することになるが、このとき、２色覚あるいは異常３色覚の人のためだけでなく、その３色覚の人自身にとっても見やすい強調対応処理を選択すればよい。
【００２０】
そして、利用者によって図６に示すような内容の強調対応処理が指示されると、即ち、「ａ：網掛け文字飾り」という処理モードにおいて、ラジオボタン群Ｒ６２ａの濃度レベルを「中」とするラジオボタンが選択され、更に、この画面の右端角部に「ＯＫ」と表記されているソフトボタンＢ６３が選択されると、制御部３１は、文書画像データに対し、選択された内容の強調対応処理を行うことで、赤色で描かれた文字に対して文字飾りが施された文書画像データを生成する（ステップＳ４５）。より具体的には、制御部３１は、赤色で描かれた文字に外接する外接矩形の位置を特定し、その矩形領域内に、プリンタドライバ３２２に記述された特定パターンの模様の画像を配置した文書画像データを生成する。つまり、制御部３１は、ＲＡＭ等のメモリ上に作成した文書画像データに対し、赤色で描かれた文字の画像と、その赤色以外の色で描かれた文字の画像とを、色の明度差によって区別する処理（つまり、矩形領域内に特定パターンの模様の画像を配置する処理）を施すものであり、処理手段の一例に相当する。そして、制御部３１は、強調対応処理後の文書画像データを、画像形成装置１が処理可能なページ記述言語で表現された画像データに変換するための画像処理を行う（ステップＳ４６）。次に、制御部３１は、画像データと、その画像データに応じた画像を形成する指示とを、通信部３５から画像形成装置１に対して送信する（ステップＳ４７）。そして、画像形成装置１の通信部１５が情報処理装置３から上記画像データ及び指示を受信すると、制御部１１は、その画像データをビットマップ化し、画像形成部１７を制御して画像を記録用紙に形成させる。
【００２１】
なお、ステップＳ４１において、制御部３１は、赤色で描かれた文字が含まれていないと判断した場合には（ステップＳ４１；ＮＯ）、上述したステップＳ４２〜Ｓ４５の処理をスキップして、ステップＳ４６の画像処理に進む。また、ステップＳ４３において、利用者の操作部３３の操作によって、「いいえ」のラジオボタンＲ５２が選択され、更にこの画面において「ＯＫ」と表記されているソフトボタンＢ５３が選択されると（ステップＳ４３；ＮＯ）、制御部３１は、上述したステップＳ４４〜Ｓ４５の処理をスキップして、ステップＳ４６の画像処理に進む。
【００２２】
ここで、図７は、強調対応処理後の文書を示す文書画像を表現している。
図７において、文書画像Ｇ７１は、強調対応処理を実施する前の文書画像であり、文書画像Ｇ７２〜Ｇ７５は、強調対応処理を実施した後の文書画像である。文書画像Ｇ７１は、図６のサンプル画像Ｓ６１と同一の配色で表現されている。
【００２３】
（ａ：網掛け文字飾りを施した場合）
利用者が、ポップアップ画面６において、例えば強調対応処理として「ａ：網掛け文字飾り」を選択するラジオボタン群Ｒ６２ａの「中」に対応するラジオボタンを選択し、更に「ＯＫ」と表記されたソフトボタンＢ６３（以下「ＯＫ」ボタンという）を選択したとする。この場合、制御部３１は、図７の文書画像Ｇ７１において赤色で描かれた文字である「１２３」に対して、「中」の濃度レベルの網掛け文字飾りを施す。よって、文書画像Ｇ７２においては、濃度が１０％の網掛け文字飾りが、赤色で描かれた文字の「１２３」に施されている。
【００２４】
（ｂ：下線文字飾りを施した場合）
利用者が、ポップアップ画面６において、例えば強調対応処理として「ｂ：下線文字飾り」を選択するラジオボタンＲ６２ｂを選択し、更に「ＯＫ」ボタンを選択したとする。この場合、制御部３１は、図７の文書画像Ｇ７１において赤色で描かれた文字である「１２３」に対して、下線文字飾りを施す。よって、文書画像Ｇ７３においては、赤色で描かれた文字の「１２３」に下線文字飾りが施されている。
【００２５】
（２−２）赤色の範囲指定に関する動作
前述したように、プリンタドライバ３２２に初期設定として記述された赤色の範囲は、（Ｒ，Ｇ，Ｂ）＝（２２０〜２５５，０〜５５，０〜５５）で表現される範囲である。このＲＧＢ色空間で表された初期設定の範囲は、色相（Hue）、彩度（Saturation）、輝度（Lightness）の３つの要素によって色を表現するＨＬＳ色空間における、Ｈ＝２５０〜２５５及び０〜８、Ｌ＝２２０〜２５５、Ｓ＝１１８〜１５３の範囲に相当する。なお、ここでは、Ｈ＝０°〜３６０°を８ビットで表現して、Ｈ＝０〜２５５としている（Ｈ＝０°のとき、Ｈ＝０，Ｈ＝３６０°のときＨ＝２５５）。同様に、Ｓ＝０（０％）〜１（１００％）を８ビットで表現して、Ｓ＝０〜２５５としている（Ｓ＝０％のとき、Ｓ＝０，Ｓ＝１００％のときＳ＝２５５）。また、Ｌ＝０（０％）〜１（１００％）を８ビットで表現して、Ｌ＝０〜２５５としている（Ｌ＝０％のとき、Ｌ＝０，Ｌ＝１００％のとき、Ｌ＝２５５）。この範囲は、閲覧環境に左右されることが少ない色を定義したＷｅｂセーフカラーの２１６色のうち、文書作成や表計算などを目的として世の中に広く普及しているアプリケーションプログラムにおいて赤色として定義されており、かつ、２色覚あるいは異常３色覚の人が判別しづらい色の範囲である。ＨＬＳ色空間における色の表現は、色味を表すパラメータが色相（Hue）のみであることから、色味をあらわすパラメータが３つ存在するＲＧＢ色空間よりも、色相を明確に表現しやすい。一方、コンピュータの分野では、閲覧環境に左右されることが少ないＷｅｂセーフカラーを表現する方法として、ＲＧＢ色空間による表現が一般的である。そこで、下記に記載したＨＬＳ色空間からＲＧＢ色空間における色の表現への変換式に従って、ＨＬＳ色空間におけるＨ＝２５０〜２５５及び０〜８、Ｌ＝２２０〜２５５、Ｓ＝１１８〜１５３の範囲をＲＧＢ色空間における範囲に変換した、（Ｒ，Ｇ，Ｂ）＝（２２０〜２５５，０〜５５，０〜５５）がプリンタドライバ３２２に記述されているのである。
【００２６】
以下、ＨＬＳ色空間からＲＧＢ色空間における色の表現への変換式について説明する。なお、Ｈ：色相(hue)、Ｌ：明度（lightness）、Ｓ：彩度(saturation)、Ｒ：赤（Red）、Ｇ：緑（Green）、Ｂ：青（Blue）と定義する。なお、以下の変換式では、Ｈ＝０°〜３６０°、Ｓ＝０〜１、Ｌ＝０〜１で表現している。
・Ｓ＝０の場合
Ｒ＝Ｇ＝Ｂ＝Ｌとなる。
・Ｓ＝０以外の場合
ｈ＝Ｈ＋１２０
ｈ＝ｈ−３６０  （ｈ≧３６０の場合）
ＭＡＸ＝Ｌ×（１＋Ｓ）      （Ｌ≦０．５の場合）
ＭＡＸ＝Ｌ×（１−Ｓ）＋Ｓ  （Ｌ＞０．５の場合）
ＭＩＮ＝２×Ｌ−ＭＡＸ
以上で算出した値ＭＡＸ、ＭＩＮ、ｈを、ｈの範囲に応じて下記の式に代入する。
・Ｒ：赤（Red）
Ｒ＝ＭＩＮ＋（ＭＡＸ−ＭＩＮ）×ｈ÷６０              （０≦ｈ＜６０）
Ｒ＝ＭＡＸ                                            （６０≦ｈ＜１８０）
Ｒ＝ＭＩＮ＋（ＭＡＸ−ＭＩＮ）×（２４０−ｈ）÷６０  （１８０≦ｈ＜２４０）
Ｒ＝ＭＩＮ                                            （２４０≦ｈ＜３６０）
・Ｇ：緑（Green）
ｈ＝Ｈ
Ｇ＝ＭＩＮ＋（ＭＡＸ−ＭＩＮ）×ｈ÷６０              （０≦ｈ＜６０）
Ｇ＝ＭＡＸ                                            （６０≦ｈ＜１８０）
Ｇ＝ＭＩＮ＋（ＭＡＸ−ＭＩＮ）×（２４０−ｈ）÷６０  （１８０≦ｈ＜２４０）
Ｇ＝ＭＩＮ                                            （２４０≦ｈ＜３６０）
・Ｂ：青（Blue）
ｈ＝Ｈ−１２０  （ｈ≧０）
ｈ＝ｈ＋３６０  （ｈ＜０）
Ｂ＝ＭＩＮ＋（ＭＡＸ−ＭＩＮ）×ｈ÷６０              （０≦ｈ＜６０）
Ｂ＝ＭＡＸ                                            （６０≦ｈ＜１８０）
Ｂ＝ＭＩＮ＋（ＭＡＸ−ＭＩＮ）×（２４０−ｈ）÷６０  （１８０≦ｈ＜２４０）
Ｂ＝ＭＩＮ                                            （２４０≦ｈ＜３６０）
【００２７】
ところで、２色覚あるいは異常３色覚の人の特性によっては、プリンタドライバ３２２に初期設定された赤色の範囲以外にも、強調対応処理の対象としたい色が存在する場合がある。そこで、プリンタドライバ３２２には、利用者の操作によって、初期設定外の色を赤色として設定する機能を有している。まず、利用者は、操作部３３の操作によって、プリンタドライバ３２２のプロパティであり、強調対応処理の対象色を設定するポップアップ画面８を表示させるための指示をする。制御部３１は、利用者からの指示を受けると、強調対応処理の対象色を設定するポップアップ画面８を表示部３４に表示する。
【００２８】
図８は、強調対応処理の対象色を設定するポップアップ画面８を示す図である。
ポップアップ画面８には、Ｗｅｂセーフカラーに定義された２１６色のうち、プリンタドライバ３２２に赤色として指定可能なものとして記述されている色に対応する選択肢を備えたリストボックスＲ８１が設けられている。このリストボックスＲ８１には、Ｗｅｂセーフカラーに定義された色見本を表示する列８２２と、列８２２に表示された色見本のＲＧＢ値を１０進表記で表示する列８２３と、該当する行が強調対応処理の対象色として選択されているか否かを示すチェックボックスを備える列８２１とが設けられている。リストボックスＲ８１には、プリンタドライバ３２２に記述された全ての選択肢を一度に表示出来ないため、選択肢を部分領域毎に表示させるためのスクロールバーＳ８４が設けられている。利用者は、操作部３３の操作によってスクロールバーＳ８４を上下にスクロールさせることで、プリンタドライバ３２２に記述された選択肢を部分領域毎にリストボックスＲ８１に表示させることが出来る。そして、このリストボックスＲ８１において、前述した（Ｒ，Ｇ，Ｂ）＝（２２０〜２５５，０〜５５，０〜５５）で表現される範囲に含まれる、Ｒ＝２５５、Ｇ＝０、Ｂ＝０と、Ｒ＝２５５、Ｇ＝０、Ｂ＝５１と、Ｒ＝２５５、Ｇ＝５１、Ｂ＝０と、Ｒ＝２５５、Ｇ＝５１、Ｂ＝５１の４色は、初期設定であり、利用者に対して推奨するものであるから、「（推奨）」というメッセージが表示されている。
【００２９】
例えば２色覚あるいは異常３色覚の人である利用者が、列８２２に表示された色見本において、図８に示すようにリストボックスＲ８１の列８２３のＲＧＢ値がＲ＝２５５、Ｇ＝０、Ｂ＝１０２の色相が判別し難い色だと感じた場合には、操作部３３の操作によってそのチェックボックスを選択し、更にこの画面の右端角部において「ＯＫ」と表記されているソフトボタンＢ８３を選択する。この選択操作に応じて、制御部３１は、ＲＧＢ値がＲ＝２５５、Ｇ＝０、Ｂ＝１０２に該当する色を強調対応処理の対象色として、プリンタドライバ３２２に設定する。ここでいう「設定」とは、制御部３１がプリンタドライバ３２２を実行するときのＲＡＭ上のワークエリアに、新たに指定された強調対応処理の対象色を示す情報を書き込むことである。また、利用者は、強調対応処理の対象色として設定されている色を、強調対応処理の対象色から除外したい場合がある。その場合に利用者は、操作部３３の操作によって、リストボックスＲ８１の列８２１のチェックボックスの選択を解除して、更にこの画面の右端角部において「ＯＫ」と表記されているソフトボタンＢ８３を選択する。すると、制御部３１は、該当する色が強調対応処理の対象色から除外された旨をプリンタドライバ３２２に通知して、その設定を解除する。ここでいう「設定の解除」とは、制御部３１がプリンタドライバ３２２を実行するときのＲＡＭ上のワークエリアに書き込んでいた、強調対応処理の対象色を示す情報を消去することである。このように、色の判別をしづらい赤色の範囲を２色覚あるいは異常３色覚の人自身によって任意に変更可能とすることで、２色覚あるいは異常３色覚の人にとって最適な色の範囲に対して強調対応処理が実現される。つまり、利用者の操作を案内するポップアップ画面８を表示部３４に表示させる制御部３１と、利用者の操作を受け付ける操作部３３は、色空間における赤色の範囲を利用者が指定する指定手段の一例である。
【００３０】
（３）変形例
（変形例１）
赤色の範囲は、ＲＧＢ色空間以外の任意の色空間で定義することが可能であり、要は、どのような色空間であっても、２色覚あるいは異常３色覚の人がその他の色と判別にしにくい赤色の範囲でありさえすればよい。例えば、プリンタドライバ３２２に初期設定された赤色の範囲は、ＲＧＢ色空間の表現において（Ｒ，Ｇ，Ｂ）＝（２２０〜２５５，０〜５５，０〜５５）の範囲で表わされる色としたが、ＨＬＳ色空間の表現におけるＨ＝２５０〜２５５及び０〜８、Ｌ＝２２０〜２５５、Ｓ＝１１８〜１５３の相当する範囲の色であれば、どのような色空間で表現された色であっても、それは、利用者に対して推奨する初期設定の色とすることができる。
また、実施形態では、（Ｒ，Ｇ，Ｂ）＝（２２０〜２５５，０〜５５，０〜５５）の範囲（つまりＨＬＳ色空間におけるＨ＝２５０〜２５５及び０〜８、Ｌ＝２２０〜２５５、Ｓ＝１１８〜１５３）を初期設定とし、さらにその初期設定以外の範囲の色についても、赤色に設定し得るような構成にしていた。これを、（Ｒ，Ｇ，Ｂ）＝（２２０〜２５５，０〜５５，０〜５５）の範囲（つまりＨＬＳ色空間におけるＨ＝２５０〜２５５及び０〜８、Ｌ＝２２０〜２５５、Ｓ＝１１８〜１５３）を初期設定とし、その初期設定の範囲内でのみ、利用者が赤色を指定し得るようにしてもよい。この範囲は、世の中に広く普及しているアプリケーションプログラムにおいて赤色として定義されていることが大半であることから、この範囲内でのみ赤色の範囲を変更するだけでもおおよそ足りるからである。
【００３１】
（変形例２）
上記実施形態において、情報処理装置３の制御部３１がプリンタドライバ３２２を実行することによって強調対応処理を行っていたが、強調対応処理を行う主体や、強調対応処理の手順が記述されたプログラムは、これらに限定されるものではない。強調対応処理の手順は、プリンタドライバ３２２とは別のプログラム、例えば、情報処理装置３が記憶している文書作成アプリケーションプログラムに記述されていてもよいし、また、画像形成装置１が記憶しているコンピュータプログラムに記述されていてもよい。後者の場合、画像形成装置１が強調対応処理を実行するので、例えば、画像読取部１６が読み取った画像を表す画像データに対しても強調対応処理を行うことが可能となる。よって、複写を行うときにも、２色覚あるいは異常３色覚の人が赤色とその他の色とを判別しやすい複写物を作成することができる。
また、情報処理装置３の制御部３１が、ソフトウェアであるプログラムを実行することによって強調対応処理を行うのではなく、ＡＳＩＣ（Application Specific Integrated Circuit）などの回路がプログラムに拠らずに強調対応処理を行ってもよい。
【００３２】
（変形例３）
実施形態において、網掛け文字飾りとは、赤色で描かれた文字からなる文字列の外接矩形の矩形領域内に予め設定された間隔を空けて複数の網点画像を配置するという文字飾りであり、下線文字飾りとは、赤色で描かれた文字からなる文字列の外接矩形の矩形領域の下辺の更にその下方に線分画像を配置するという文字飾りであった。赤色で描かれた文字に対する修飾処理は、上記の２つに限らず、次の２種類のうちのいずれかであればよい。
まず、１つ目の修飾処理は、赤色で描かれた文字を含む領域内に、決められた模様の画像を配置する、という処理であればよい。実施形態の網掛け文字飾りはこの修飾処理に含まれる。ここで、赤色で描かれた文字を含む領域とは、その文字又は文字列の外接矩形の矩形領域であってもよいし、その外接矩形よりも予め設定された大きさだけ大きい矩形領域であってもよい。また、形状は、直線のみで構成された矩形形状に限らず、矩形の頂点に相当する部分が湾曲した形状などのように、曲線によって構成された形状であってもよい。また、この領域には、赤色以外の色の文字を一切含まない方が望ましいが、強調された箇所をおおよそ特定し得るのであれば、赤色の文字列の前後にある文字などを含んでいてもよい。また、決められた模様とは、実施形態にて例示した、予め設定された間隔で配置された複数の網点画像のほか、同一方向に延びる線分画像を予め設定された間隔で複数配置したものなどであってもよいし、矩形領域内を格子状の画像や予め設定された模様や形状を有する複数の画像で埋めたものであってもよい。ただし、この画像は、文字を読むのにそれほど邪魔にならない模様の画像であることが望ましい。
次に、２つ目の修飾処理は、赤色の文字の画像の位置から決められた距離の範囲内に、当該赤色の文字を含む文字列の方向に延びる線分画像を配置する、という処理であればよい。実施形態の下線文字飾りはこの修飾処理に含まれる。線分画像は、実線の画像に限らず、破線や波線の画像であってもよいし、予め設定された模様の集合によって線状の画像となっているものでもよく、全体として赤色の文字を含む文字列の方向に延びていればよい。その線分画像の太さは特に限定されない。また、線分画像と文字列との位置関係については、線分画像が文字列の下方ではなく上方に配置されてもよい。また、縦書きの文書においては、線分画像が文字列の右又は左に配置される。また、赤色の文字の画像の位置から決められた距離の範囲内とは、線分画像が、強調の対象となる赤色の文字の画像を指し示していることが分かる程度の距離の範囲内であればよいということである。例えば、強調の対象となる赤色の文字の画像と線分画像との間の距離と、強調の対象とならない文字の画像と線分画像との間の距離を比べた場合に、前者が後者よりも小さい場合には、線分画像が赤色の文字の画像を指し示していることが分かりやすい距離であるとよい。
【００３３】
（変形例４）
文書画像データに対して、赤色とそれ以外の色の画像とを色の明度差によって区別する処理は、次のようなものであってもよい。
赤色およびその他の色の色相を判別しにくい２色覚あるいは異常３色覚の人であっても、少なくとも明度差については認識できるので、赤色、赤色以外の色、黒色、又は、黒文字以外の色のいずれかが淡色化されて、その濃度がその他の文字の濃度に比べて低くなっている場合には、赤色とその他の色とをその明度差によって判別しやすくなるか、或いは、黒色とその他の色（この「その他の色」には赤色が含まれる）とをその明度差によって判別しやすくなる。ここで、２色覚あるいは異常３色覚の人は、赤色とその他の色とを判別しやすくなった場合には、強調などの目的で使われる赤色の画像と、それ以外の画像とを区別できるということになる。また、２色覚あるいは異常３色覚の人は、赤色の画像が必ず含まれている場合において、黒色と、その他の色（このその他の色には必ず赤色が含まれる）とを判別しやすくなった場合には、文書において一般に最も多く使われる色である黒色の画像と、それ以外の色の画像とを区別できるということになる。従って、制御部３１は、文書中に含まれる黒色の濃度を低くする（以下、淡色化という）処理、赤色以外を淡色化する処理、赤色を淡色化する処理、及び、黒色以外を淡色化する処理のうち、いずれか１つを行えばよい。なお、文書中で最も多く使われている色として黒色を想定していたが、文書の使用目的や使用環境によっては、黒色以外の色が最も多く使われている色となることもある。黒色以外の色を最も多く使われている色とする場合には、黒色に代えて、その最も多く使われている色が淡色化されることになる。ここでいう最も多く使われている色は、画像の背景色（典型的には白色）を除く。さらに、この場合、制御部３１の強調対応処理の対象は「文字」に限るものではなく、例えば図形や、表などの線画であってもよい。
【符号の説明】
【００３４】
１…画像形成装置、２…ネットワーク、３…情報処理装置、１１…制御部、１２…記憶部、１３…操作部、１４…表示部、１５…通信部、１６…画像読取部、１７…画像形成部、３１…制御部、３２…記憶部、３２１…文書作成アプリケーションプログラム、３２２…プリンタドライバ、３３…操作部、３４…表示部、３５…通信部。
【図１】
2010219811.tif 000003
【図２】
2010219811.tif 000004
【図３】
2010219811.tif 000005
【図４】
2010219811.tif 000006
【図５】
2010219811.tif 000007
【図６】
2010219811.tif 000008
【図７】
2010219811.tif 000009
【図８】
2010219811.tif 000010